(57)【要約】【課題】本発明は、容易に組み立てることができ、サイズを自由に調整することのできる物品収納棚を提供することを目的とするものである。【解決手段】  本発明は、上記の課題を解決するために、側面に８個、１０個又は２０個の複数の挿入溝を設けた４本の四角柱状又は円柱状の支柱と、前記支柱で支えて棚にするガラス板とからなり、前記ガラス板の四隅を各支柱の挿入溝に嵌め込む際に、前記支柱の挿入溝とガラス板との間に補強材を挟んだことを特徴とする物品収納棚の構成とした。【選択図】図１
2007209644.tif 000002
【特許請求の範囲】
【請求項１】
側面に複数の挿入溝を設けた４本の支柱と、前記支柱で支えて棚にするガラス板とからなり、前記ガラス板の四隅を各支柱の挿入溝に嵌め込むことを特徴とする物品収納棚。
【請求項２】
支柱の挿入溝とガラス板との間に補強材を挟んだことを特徴とする請求項１に記載の物品収納棚。
【発明の詳細な説明】
【技術分野】
【０００１】
本発明は、容易に組み立てることができ、サイズを自由に調整することのできる物品収納棚に関するものである。
【背景技術】
【０００２】
物品収納棚は、４本の支柱で複数枚の棚を支えることにより、それぞれの棚の上に物品を載せて収納することができる。また、組立式のものも存在し、棚の高さを変えたり、各棚に仕切板を設けたりして、様々な大きさのものを収納することができる。
【０００３】
特許文献１に記載されているように、組立式の物品収納棚の支柱を連結部材によって連結すると共に、連結部材によって物品収納用の棚を係止する物品収納棚の発明も公開されている。
【特許文献１】特開平０９−２１５５２８号公報
【発明の開示】
【発明が解決しようとする課題】
【０００４】
しかしながら、従来のように、収納スペースの大きさが自由に変更できない物品収納棚の場合は、上部に空きスペースが生じてしまったりして、空間を有効に利用できていないケースが多い。
【０００５】
また、棚の高さを変えたり、仕切板を移動させたりすることにより、収納スペースの大きさを変更できる物品収納棚の場合であっても、物品収納棚自体が大きいために、余計に場所を取ってしまうこともある。
【０００６】
そこで、本発明は、容易に組み立てることができ、サイズを自由に調整することのできる物品収納棚を提供することを目的とするものである。
【課題を解決するための手段】
【０００７】
本発明は、上記の課題を解決するために、側面に８個、１０個又は２０個の複数の挿入溝３を設けた４本の四角柱状又は円柱状の支柱２、２ａ、２ｂ、２ｃ、２ｄ、２ｅ、２ｆと、前記支柱２〜２ｆで支えて棚にするガラス板４とからなり、前記ガラス板４の四隅５、５ａ、５ｂ、５ｃを各支柱２〜２ｆの挿入溝３に嵌め込む際に、前記支柱２〜２ｆの挿入溝３とガラス板４との間に補強材６を挟んだことを特徴とする物品収納棚１、１ａ、１ｂの構成とした。
【発明の効果】
【０００８】
本発明は、以上の構成であるから以下の効果が得られる。第１に、様々なサイズの支柱とガラス板を組み合わせることにより、適したサイズに調整することが可能であり、空きスペースを有効に利用することができるようになる。
【０００９】
第２に、支柱とガラス板の組合せは自由であり、組立ても簡単であるので、棚を複数段設けたり、物品収納棚自体を組み合わせてデザインの良い棚にしたりと、様々な使い方に応用することができる。
【発明を実施するための最良の形態】
【００１０】
本発明は、容易に組み立てることができ、サイズを自由に調整することのできる物品収納棚にするをいう目的を、側面に８個、１０個又は２０個の複数の挿入溝を設けた４本の四角柱状又は円柱状の支柱と、前記支柱で支えて棚にするガラス板とからなり、前記ガラス板の四隅を各支柱の挿入溝に嵌め込む際に、前記支柱の挿入溝とガラス板との間に補強材を挟むことにより実現した。
【実施例１】
【００１１】
以下に、添付図面に基づいて、本発明である物品収納棚について詳細に説明する。図１は、本発明である物品収納棚の支柱を左右に留めた場合の斜視図であり、図２は、本発明である物品収納棚の支柱を前後に留めた場合の斜視図であり、図３は、本発明である物品収納棚の支柱を左右にずらした状態で前後に留めた場合の斜視図である。
【００１２】
物品収納棚１、１ａ、１ｂは、側面に８個、１０個又は２０個の複数の挿入溝３を設けた４本の四角柱状又は円柱状の支柱２、２ａ、２ｂ、２ｃ、２ｄ、２ｅ、２ｆと、前記支柱２〜２ｆで支えて棚にするガラス板４とからなり、前記ガラス板４の四隅５、５ａ、５ｂ、５ｃを各支柱２〜２ｆの挿入溝３に嵌め込む際に、前記支柱２〜２ｆの挿入溝３とガラス板４との間に補強材６を挟んだことを特徴とする。
【００１３】
図１の物品収納棚１は、ガラス板４の左上の隅５に支柱２の上から３番目の挿入溝３を左側から嵌め込み、右上の隅５ａに支柱２ａの上から３番目の挿入溝３を右側から嵌め込み、左下の隅５ｂに支柱２ｂの上から３番目の挿入溝３を左側から嵌め込み、右下の隅５ｃに支柱２ｃの上から３番目の挿入溝３を右側から嵌め込んだ例である。
【００１４】
図２の物品収納棚１ａは、ガラス板４の左上の隅５に支柱２の上から３番目の挿入溝３を上側から嵌め込み、右上の隅５ａに支柱２ａの上から３番目の挿入溝３を上側から嵌め込み、左下の隅５ｂに支柱２ｂの上から３番目の挿入溝３を下側から嵌め込み、右下の隅５ｃに支柱２ｃの上から３番目の挿入溝３を下側から嵌め込んだ例である。
【００１５】
図３の物品収納棚１ｂは、ガラス板４の左上の隅５に支柱２の上から３番目の挿入溝３を上側から左に半分ずらして嵌め込み、右上の隅５ａに支柱２ａの上から３番目の挿入溝３を上側から右に半分ずらして嵌め込み、左下の隅５ｂに支柱２ｂの上から３番目の挿入溝３を下側から左に半分ずらして嵌め込み、右下の隅５ｃに支柱２ｃの上から３番目の挿入溝３を下側から右に半分ずらして嵌め込んだ例である。
【００１６】
図１から図３の例に示すように、物品収納棚１、１ａ、１ｂは、ガラス板４への支柱２〜２ｃの取付方に様々なバリエーションを持たせることができ、設置場所の広さに合わせて柔軟に対応することができる。
【００１７】
図４は、本発明である物品収納棚に使用する支柱の挿入溝が８個の場合の正面斜視図であり、図５は、本発明である物品収納棚に使用する支柱の挿入溝が８個の場合の側面斜視図である。
【００１８】
支柱２は、幅が約２８ｍｍ、奥行が約２８ｍｍ、高さが約２１０ｍｍの四角柱の側面に約４．１ｍｍの挿入溝３を約２６ｍｍごとに８個空けた場合である。尚、支柱２ａ、２ｂ、２ｃは、支柱２と同じである。
【００１９】
挿入溝３は、支柱２の一つの側面から反対側の面に向かって水平に溝を掘るが、支柱２自体の強度が保てる深さにする。また、ガラス板４の厚さが４ｍｍであることから、０．１ｍｍの余裕を持たせておく。
【００２０】
図６は、本発明である物品収納棚に使用する支柱の挿入溝が１０個の場合の正面斜視図であり、図７は、本発明である物品収納棚に使用する支柱の挿入溝が１０個の場合の側面斜視図である。
【００２１】
支柱２ｄは、幅が約２８ｍｍ、奥行が約２８ｍｍ、高さが約３００ｍｍの四角柱の側面に約４．１ｍｍの挿入溝３を約３０ｍｍごとに１０個空けた場合である。
【００２２】
図８は、本発明である物品収納棚に使用する支柱の挿入溝が２０個の場合の正面斜視図であり、図９は、本発明である物品収納棚に使用する支柱の挿入溝が２０個の場合の側面斜視図である。
【００２３】
支柱２ｅは、幅が約２８ｍｍ、奥行が約２８ｍｍ、高さが約６００ｍｍの四角柱の側面に約４．１ｍｍの挿入溝３を約３０ｍｍごとに２０個空けた場合である。
【００２４】
図４から図９の例に示すように、支柱２〜２ｅは、サイズや挿入溝３の数を任意に変更することが可能であり、組合せも自由である。例えば、支柱２ｄを２本と支柱２ｅを２本使用して棚を作ることもできる。
【００２５】
図１０は、本発明である物品収納棚に使用する支柱が円柱状の場合の斜視図である。
【００２６】
支柱２ｆは、直径が約２８ｍｍ、高さが約２１０ｍｍの円柱の周面に約４．１ｍｍの挿入溝３ａを約２６ｍｍごとに８個空けた場合である。尚、支柱２ｆのサイズや挿入溝３ａの数は、任意に変更することができる。
【００２７】
図１１は、本発明である物品収納棚に使用するガラス板の斜視図であり、図１２は、本発明である物品収納棚のガラス板を支柱の挿入溝に差し込んだ状態の拡大図である。
【００２８】
ガラス板４は、厚さが４ｍｍのガラス製の板であり、左上の隅５、右上の隅５ａ、左下の隅５ｂ及び右下の隅５ｃに支柱２〜２ｆを取り付ける。尚、ガラス板４は、様々なサイズがあるが、例を図１８に示す。
【００２９】
ガラス板４を支柱２〜２ｆの挿入溝３に嵌め込むだけで良いので、非常に簡単に棚を作り上げることができる。挿入溝３は広めに空けてあるため、ガラス板４の位置の微調整も容易である。
【００３０】
また、図１２に示すように、挿入溝３のサイズは、ガラス板４の厚さよりも大きく取っていることから、ガラス板４と挿入溝３の間にビニールシート等の補強材６を挟んで外れにくくすることもできる。
【００３１】
図１３は、本発明である物品収納棚のガラス板を複数枚使用した場合の斜視図である。
【００３２】
物品収納棚１ｃは、４本の支柱２ｅのそれぞれ上から６段目の挿入溝３に１枚目のガラス板４を取り付け、それぞれ１０段目の挿入溝３に２枚目のガラス板４を取り付け、それぞれ１５段目の挿入溝３に３枚目のガラス板４を取り付けた例である。
【００３３】
更に、手前側に支柱２ｅを２本増やして、上から１０段目の挿入溝３にある２枚目のガラス板４を手前側に取り付ければ、奥側は６段目と１５段目の高さの棚、手前側は１０段目の高さの棚というような設置例にすることもできる。
【００３４】
図１４は、本発明である物品収納棚を収納箱の中に設置した状態の斜視図であり、図１５は、本発明である物品収納棚に収納物を収納した状態を示す斜視図である。
【００３５】
物品収納棚１ｄは、収納箱７の中に物品収納棚１、１ａ、１ｂ、１ｃを設置した例である。上段の収納箱７に、ガラス板４が１枚の物品収納棚１を設置し、下段の収納箱７に、ガラス板４が２枚の物品収納棚１ｃを設置したものである。
【００３６】
図１５に示すように、収納箱７だけの場合は、下部にしか収納物７ａを置けず、上部に空きスペースが出来てしまうが、物品収納棚１〜１ｃを設置することにより、上部にも収納物７ａを収めることができ、空きスペースを有効に利用することができる。
【００３７】
尚、収納箱７の収納スペースに応じて、物品収納棚１〜１ｃの大きさを変更することが可能であり、また、物品収納棚１ａ又は１ｂのように、支柱２の付け方を調整することにより、僅かなスペースも埋めることができる。
【００３８】
図１６は、本発明である物品収納棚を積み重ねた状態の斜視図であり、図１７は、本発明である物品収納棚に収納物を載置した状態を示す斜視図である。
【００３９】
物品収納棚１ｅは、物品収納棚１、１ａ、１ｂ、１ｃを積み重ねた例である。下段の物品収納棚１は、大きいガラス板４を使用し、中段の物品収納棚１は、下段より小さいガラス板４を使用して下段の上に載せ、上段の物品収納棚１は、中段より小さいガラス板４を使用して中段の上に載せたものである。
【００４０】
図１７に示すように、上段、中段及び下段のそれぞれのガラス板４に収納物７ａを置くことができる。物品収納棚１〜１ｃを縦に積み重ねたり、横に並べたりするなど、支柱２とガラス板４の配置の仕方により様々なデザインの棚にすることが可能である。
【００４１】
図１８は、本発明である物品収納棚に使用するガラス板のサイズ表である。
【００４２】
表８に示すように、ガラス板４の厚さは、０．４ｃｍで一定であるが、幅３０ｃｍ×奥行２０ｃｍのものから、幅６０ｃｍ×奥行２５ｃｍのものまで、様々なサイズを用意することができ、また、表８以外のサイズにすることも可能である。
【００４３】
ガラス板４のサイズ及び支柱２のサイズを何種類も用意することにより、様々な組合せを考えることができ、組替えも容易であるので、バリエーション豊かな物品収納棚１〜１ｅとして利用することができる。
【００４４】
以上のように、本発明である物品収納棚は、様々なサイズの支柱とガラス板を組み合わせることにより、適したサイズに調整することが可能であり、空きスペースを有効に利用することができるようになる。
【００４５】
また、支柱とガラス板の組合せは自由であり、組立ても簡単であるので、棚を複数段設けたり、物品収納棚自体を組み合わせてデザインの良い棚にしたりと、様々な使い方に応用することができる。
【図面の簡単な説明】
【００４６】
【図１】本発明である物品収納棚の支柱を左右に留めた場合の斜視図である。
【図２】本発明である物品収納棚の支柱を前後に留めた場合の斜視図である。
【図３】本発明である物品収納棚の支柱を左右にずらした状態で前後に留めた場合の斜視図である。
【図４】本発明である物品収納棚に使用する支柱の挿入溝が８個の場合の正面斜視図である。
【図５】本発明である物品収納棚に使用する支柱の挿入溝が８個の場合の側面斜視図である。
【図６】本発明である物品収納棚に使用する支柱の挿入溝が１０個の場合の正面斜視図である。
【図７】本発明である物品収納棚に使用する支柱の挿入溝が１０個の場合の側面斜視図である。
【図８】本発明である物品収納棚に使用する支柱の挿入溝が２０個の場合の正面斜視図である。
【図９】本発明である物品収納棚に使用する支柱の挿入溝が２０個の場合の側面斜視図である。
【図１０】本発明である物品収納棚に使用する支柱が円柱状の場合の斜視図である。
【図１１】本発明である物品収納棚に使用するガラス板の斜視図である。
【図１２】本発明である物品収納棚のガラス板を支柱の挿入溝に差し込んだ状態の拡大図である。
【図１３】本発明である物品収納棚のガラス板を複数枚使用した場合の斜視図である。
【図１４】本発明である物品収納棚を収納箱の中に設置した状態の斜視図である。
【図１５】本発明である物品収納棚に収納物を収納した状態を示す斜視図である。
【図１６】本発明である物品収納棚を積み重ねた状態の斜視図である。
【図１７】本発明である物品収納棚に収納物を載置した状態を示す斜視図である。
【図１８】本発明である物品収納棚に使用するガラス板のサイズ表である。
【符号の説明】
【００４７】
１        物品収納棚
１ａ      物品収納棚
１ｂ      物品収納棚
１ｃ      物品収納棚
１ｄ      物品収納棚
１ｅ      物品収納棚
２        支柱
２ａ      支柱
２ｂ      支柱
２ｃ      支柱
２ｄ      支柱
２ｅ      支柱
２ｆ      支柱
３        挿入溝
３ａ      挿入溝
４        ガラス板
５        隅
５ａ      隅
５ｂ      隅
５ｃ      隅
６        補強材
７        収納箱
７ａ      収納物
８        表
【図１】
2007209644.tif 000003
【図２】
2007209644.tif 000004
【図３】
2007209644.tif 000005
【図４】
2007209644.tif 000006
【図５】
2007209644.tif 000007
【図６】
2007209644.tif 000008
【図７】
2007209644.tif 000009
【図８】
2007209644.tif 000010
【図９】
2007209644.tif 000011
【図１０】
2007209644.tif 000012
【図１１】
2007209644.tif 000013
【図１２】
2007209644.tif 000014
【図１３】
2007209644.tif 000015
【図１４】
2007209644.tif 000016
【図１５】
2007209644.tif 000017
【図１６】
2007209644.tif 000018
【図１７】
2007209644.tif 000019
【図１８】
2007209644.tif 000020